【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
ワイヤレス通信のためのアクセスポイントであって、
1つまたは複数の局の各々からのバッファ報告を要求する要求フレームを生成するように構成された処理システムであって、前記要求フレームが、前記バッファ報告がバッファ内のデータの量または前記バッファ内の前記データを送信するための要求される時間の量のいずれかを示すことを選択的に要求し、前記要求フレームが、前記バッファ内の前記データの量または前記バッファ内の前記データを送信するための前記要求される時間の量のいずれかを示すために前記バッファ報告が4つの異なるグラニュラリティのうちの選択された1つを使用すべきであることをさらに示し、前記要求フレームが、前記1つまたは複数の局から報告フレームを受信するための持続時間をさらに示し、前記報告フレームが、前記バッファ報告を含み、前記処理システムが、前記要求フレームを前記1つまたは複数の局に出力するようにさらに構成される、処理システムと、
アンテナと、
前記持続時間および前記選択されたグラニュラリティに少なくとも部分的に基づいて前記1つまたは複数の局の各々から前記報告フレームにおいて前記バッファ報告を前記アンテナを介して受信するように構成された受信機と
を備える、アクセスポイント。
【請求項２】
前記処理システムが、前記1つまたは複数の局の各々からの前記受信されたバッファ報告に基づいて、データ送信用に通信リソースを前記1つまたは複数の局に割り振るようにさらに構成される、請求項1に記載のアクセスポイント。
【請求項３】
前記処理システムが、
トリガフレーム、および
送信機アドレスフィールド中の前記アクセスポイントのアドレスと、受信機アドレスフィールド中の前記1つまたは複数の局のうちの1つのアドレスとを備える送信可(CTS)-to-selfフレーム
のうちの1つとして前記要求フレームを生成するようにさらに構成される、請求項1に記載のアクセスポイント。
【請求項４】
前記報告フレームが、サービス品質ヌルフレーム、サービス品質データフレーム、省電力ポールフレーム、および制御フレームのうちの1つである、請求項1に記載のアクセスポイント。
【請求項５】
前記処理システムが、前記報告フレームのフレーム制御フィールドのモアデータサブフィールドに示されている、データの存在を判定するようにさらに構成される、請求項1に記載のアクセスポイント。
【請求項６】
前記処理システムが、前記報告フレームの持続時間フィールドに示されている、前記バッファ内の前記データの量または前記バッファ内の前記データを送信するための前記要求される時間の量を判定するようにさらに構成される、請求項1に記載のアクセスポイント。
【請求項７】
前記処理システムが、前記持続時間フィールドの少なくとも1ビットによって与えられる指示に基づいて、前記バッファ報告が前記バッファ内の前記データの量を示すか、前記バッファ内の前記データを送信するための前記要求される時間の量を示すかを判定するようにさらに構成される、請求項6に記載のアクセスポイント。
【請求項８】
前記処理システムが、前記報告フレームのサービス品質制御フィールドに示されている、前記バッファ内の前記データの量または前記バッファ内の前記データを送信するための前記要求される時間の量を判定するようにさらに構成される、請求項1に記載のアクセスポイント。
【請求項９】
前記処理システムが、送信パラメータが前記アクセスポイントによって制御されるか、前記報告フレームを生成する前記局によって制御されるかに基づいて、前記バッファ報告が前記バッファ内の前記データの量を示すか、前記バッファ内の前記データを送信するための前記要求される時間の量を示すかを判定するようにさらに構成される、請求項8に記載のアクセスポイント。
【請求項１０】
ワイヤレス通信のための局であって、
アンテナと、
バッファ報告を要求する要求フレームを前記アンテナを介して受信するように構成された受信機であって、前記要求フレームが、前記バッファ報告がバッファ内のデータの量または前記バッファ内の前記データを送信するための要求される時間の量のいずれかを示すことを選択的に要求し、前記要求フレームが、前記バッファ内の前記データの量または前記バッファ内の前記データを送信するための前記要求される時間の量のいずれかを示すために前記バッファ報告が4つの異なるグラニュラリティのうちの選択された1つを使用すべきであることをさらに示し、前記要求フレームが、1つまたは複数の局から報告フレームを受信するための持続時間をさらに示す、受信機と、
前記バッファ内の前記データの量または前記バッファ内の前記データを送信するための前記要求される時間の量のいずれかを前記選択されたグラニュラリティで選択的に示す前記要求されたバッファ報告を含む前記報告フレームを生成し、前記持続時間に少なくとも部分的に基づいてワイヤレスデバイスへの送信用に前記報告フレームを出力するように構成された処理システムであって、前記報告フレームが、前記バッファ報告を含む、処理システムと
を備える、局。
【請求項１１】
前記受信機が、前記局からの前記バッファ報告に基づいて、データ送信用に通信リソースの一部分を前記局に割り振るメッセージを前記ワイヤレスデバイスから受信するようにさらに構成される、請求項10に記載の局。
【請求項１２】
前記要求フレームが、
トリガフレーム、および
送信機アドレスフィールド中の前記ワイヤレスデバイスのアドレスと、受信機アドレスフィールド中の前記局のアドレスとを備える送信可(CTS)-to-selfフレーム
のうちの1つとして前記ワイヤレスデバイスから受信される、請求項10に記載の局。
【請求項１３】
前記処理システムが、サービス品質ヌルフレーム、サービス品質データフレーム、および省電力ポールフレームのうちの1つとして前記報告フレームを生成するようにさらに構成される、請求項10に記載の局。
【請求項１４】
前記処理システムが、前記報告フレームのフレーム制御フィールド内のモアデータサブフィールドを使用して、データの存在を示すようにさらに構成される、請求項10に記載の局。
【請求項１５】
前記処理システムが、前記報告フレームの持続時間フィールドを使用して、前記バッファ内の前記データの量または前記バッファ内の前記データを送信するための前記要求される時間の量を選択的に示すようにさらに構成される、請求項10に記載の局。
【請求項１６】
前記処理システムが、前記持続時間フィールドの少なくとも1ビットを使用して、前記バッファ報告が前記バッファ内の前記データの量を示すか、前記バッファ内の前記データを送信するための前記要求される時間の量を示すかを示すようにさらに構成される、請求項15に記載の局。
【請求項１７】
前記処理システムが、前記報告フレームのサービス品質制御フィールドを使用して、前記バッファ内の前記データの量または前記バッファ内の前記データを送信するための前記要求される時間の量を選択的に示すようにさらに構成される、請求項10に記載の局。
【請求項１８】
前記処理システムが、送信パラメータが前記ワイヤレスデバイスによって制御されるか、前記局によって制御されるかに基づいて、前記バッファ報告が前記バッファ内の前記データの量を示すか、前記バッファ内の前記データを送信するための前記要求される時間の量を示すかを判定するようにさらに構成される、請求項17に記載の局。
【請求項１９】
ワイヤレス通信のための装置であって、
処理システムを備え、前記処理システムが、
1つまたは複数の局の各々からのバッファ報告を要求する要求フレームを生成することであって、前記要求フレームが、前記バッファ報告がバッファ内のデータの量または前記バッファ内の前記データを送信するための要求される時間の量のいずれかを示すことを選択的に要求し、前記要求フレームが、前記バッファ内の前記データの量または前記バッファ内の前記データを送信するための前記要求される時間の量のいずれかを示すために前記バッファ報告が4つの異なるグラニュラリティのうちの選択された1つを使用すべきであることをさらに示し、前記要求フレームが、前記1つまたは複数の局から報告フレームを受信するための持続時間をさらに示す、ことと、
前記1つまたは複数の局の各々への送信用に前記要求フレームを出力することと、
前記持続時間および前記選択されたグラニュラリティに少なくとも部分的に基づいて前記1つまたは複数の局の各々から前記報告フレームにおいて前記バッファ報告を受信することであって、前記報告フレームが、前記バッファ報告を含む、ことと
をするように構成される、装置。
【請求項２０】
前記ワイヤレス通信が、前記1つまたは複数の局の各々からの前記受信されたバッファ報告に基づいて容易にされる、請求項19に記載の装置。
【請求項２１】
前記処理システムが、
トリガフレーム、および
送信機アドレスフィールド中の前記装置のアドレスと、受信機アドレスフィールド中の前記1つまたは複数の局のうちの1つのアドレスとを備える送信可(CTS)-to-selfフレーム
のうちの1つとして前記要求フレームを生成するようにさらに構成される、請求項19に記載の装置。
【請求項２２】
前記報告フレームが、サービス品質ヌルフレーム、サービス品質データフレーム、省電力ポールフレーム、および制御フレームのうちの1つである、請求項19に記載の装置。
【請求項２３】
前記処理システムが、前記報告フレームのフレーム制御フィールドのモアデータサブフィールドに示されているように、データの存在を判定するようにさらに構成される、請求項19に記載の装置。
【請求項２４】
前記処理システムが、前記報告フレームの持続時間フィールドに示されているように、前記バッファ内の前記データの量または前記バッファ内の前記データを送信するための前記要求される時間の量を判定するようにさらに構成される、請求項19に記載の装置。
【請求項２５】
前記処理システムが、前記持続時間フィールドの少なくとも1ビットによって与えられる指示に基づいて、前記バッファ報告が前記バッファ内の前記データの量を示すか、前記バッファ内の前記データを送信するための前記要求される時間の量を示すかを判定するようにさらに構成される、請求項24に記載の装置。
【請求項２６】
前記処理システムが、前記報告フレームのサービス品質制御フィールドに示されているように、前記バッファ内の前記データの量または前記バッファ内の前記データを送信するための前記要求される時間の量を判定するようにさらに構成される、請求項19に記載の装置。
【請求項２７】
前記処理システムが、送信パラメータが前記装置によって制御されるか、前記報告フレームを生成する前記1つまたは複数の局のうちの局によって制御されるかに基づいて、前記バッファ報告が前記バッファ内の前記データの量を示すか、前記バッファ内の前記データを送信するための前記要求される時間の量を示すかを判定するようにさらに構成される、請求項26に記載の装置。
【請求項２８】
ワイヤレス通信のための装置であって、
処理システムを備え、前記処理システムが、
バッファ報告を要求する要求フレームを受信することであって、前記要求フレームが、前記バッファ報告がバッファ内のデータの量または前記バッファ内の前記データを送信するための要求される時間の量のいずれかを示すことを選択的に要求し、前記要求フレームが、前記バッファ内の前記データの量または前記バッファ内の前記データを送信するための前記要求される時間の量のいずれかを示すために前記バッファ報告が4つの異なるグラニュラリティのうちの選択された1つを使用すべきであることをさらに示し、前記要求フレームが、前記装置から報告フレームを受信するための持続時間をさらに示す、ことと、
前記バッファ内の前記データの量または前記バッファ内の前記データを送信するための前記要求される時間の量のいずれかを前記選択されたグラニュラリティで選択的に示す前記要求されたバッファ報告を含む前記報告フレームを生成することであって、前記報告フレームが、前記バッファ報告を含む、ことと、
前記持続時間に少なくとも部分的に基づいてワイヤレスデバイスへの送信用に前記報告フレームを出力することと
をするように構成される、装置。
【請求項２９】
前記処理システムが、前記装置からの前記バッファ報告に基づいて、データ送信用に通信リソースの一部分を前記装置に割り振るメッセージを前記ワイヤレスデバイスから受信するようにさらに構成される、請求項28に記載の装置。
【請求項３０】
前記処理システムが、
トリガフレーム、および
送信機アドレスフィールド中の前記ワイヤレスデバイスのアドレスと、受信機アドレスフィールド中の前記装置のアドレスとを備える送信可(CTS)-to-selfフレーム
のうちの1つとして前記ワイヤレスデバイスから受信するようにさらに構成される、請求項28に記載の装置。
【請求項３１】
前記処理システムが、サービス品質ヌルフレーム、サービス品質データフレーム、および省電力ポールフレームのうちの1つとして前記報告フレームを生成するようにさらに構成される、請求項28に記載の装置。
【請求項３２】
前記処理システムが、前記報告フレームのフレーム制御フィールド内のモアデータサブフィールドを使用して、データの存在を示すようにさらに構成される、請求項28に記載の装置。
【請求項３３】
前記処理システムが、前記報告フレームの持続時間フィールドを使用して、前記バッファ内の前記データの量または前記バッファ内の前記データを送信するための前記要求される時間の量を選択的に示すようにさらに構成される、請求項28に記載の装置。
【請求項３４】
前記処理システムが、前記持続時間フィールドの少なくとも1ビットを使用して、前記バッファ報告が前記バッファ内の前記データの量を示すか、前記バッファ内の前記データを送信するための前記要求される時間の量を示すかを示すようにさらに構成される、請求項33に記載の装置。
【請求項３５】
前記処理システムが、前記報告フレームのサービス品質制御フィールドを使用して、前記バッファ内の前記データの量または前記バッファ内の前記データを送信するための前記要求される時間の量を選択的に示すようにさらに構成される、請求項28に記載の装置。
【請求項３６】
前記バッファ報告が前記バッファ内の前記データの量を示すか、前記バッファ内の前記データを送信するための前記要求される時間の量を示すかが、送信パラメータが前記ワイヤレスデバイスによって制御されるか、前記報告フレームを生成する前記装置によって制御されるかに基づく、請求項35に記載の装置。